(57)【特許請求の範囲】
【請求項１】
一面に天井面に接着し得る接着面が形成され、他面に連結突起が設けられた基板と、
上記連結突起に連結可能な連結部を有する本体を有し、該本体にケーブル支持用のフックが形成されたケーブル支持部材と、
上記基板及びケーブル支持部材を先端部にて各別に支持し得る棒状部材とより構成され、
上記棒状部材の先端部には、上記基板を支持する際は上記連結突起が係合し、上記ケーブル支持部材を支持する際は該ケーブル支持部材の本体下部が係合し得る凹部が形成されており、
かつ上記凹部の周囲に上記基板他面及び上記フックを水平に支持する水平支持部が形成されているものであるケーブル支持具取付装置。
【請求項２】
上記基板他面には基板支持突起が形成されており、
上記ケーブル支持部材の上記フックの下面には該フックに沿う方向にフック支持突起が形成されており、
上記棒状部材の上記水平支持部には、上記基板支持突起に係合し得る基板係合溝と、上記フック支持突起に係合し得るフック係合溝が各々形成されているものであることを特徴とする請求項１記載のケーブル支持具取付装置。
【請求項３】
上記ケーブル支持部材の本体を上下貫通する筒状本体として形成すると共に、
上記棒状部材の上記凹部内にガイドピンを出没可能に設け、
上記棒状部材の先端部にて上記ケーブル支持部材を支持する際は、上記ガイドピンを上記凹部から突出させた状態において、上記ガイドピンが上記ケーブル支持部材の上記筒状本体内に挿入されるものである請求項１又は２記載のケーブル支持具取付装置。
【請求項４】
上記ケーブル支持部材の本体を上下貫通する筒状本体として形成すると共に上記連結部を上記筒状本体先端に形成し、
上記連結突起と上記連結部の連結は、上記連結部内に設けられた係合爪と上記連結突起との連結により行う構成とし、
上記筒状本体下方から上記連結部内に挿入可能な筒状部材からなる連結解除ピンを設け、
上記本体内に挿入された連結解除ピンの筒状先端部を連結状態の上記連結突起と上記係合爪との間に挿入することにより、上記連結突起と上記係合爪との係合を解除し得るように構成したものである請求項１又は２記載のケーブル支持具取付装置。
【請求項５】
上記連結解除ピンは、その下端部を上記棒状部材の先端部にて支持可能に構成したものである請求項４記載のケーブル支持具取付装置。
【請求項６】
上記ケーブル支持部材は、上記連結突起に連結した状態において、上記連結突起の中心軸の周りに回転可能である請求項１〜５の何れかに記載のケーブル支持具取付装置。
【請求項７】
一面に接着面が形成され他面に連結突起が設けられた基板を、棒状部材の先端部にて水平に支持し、かかる状態で上記基板の一面を天井面に接着させる基板接着工程と、
上記連結突起に連結可能な連結部を有する本体と、該本体にケーブル支持用のフックが形成されたケーブル支持部材の上記フックに、ケーブルを支持するケーブル支持工程と、
上記ケーブル支持部材を棒状部材の先端部にて水平に支持し、かかる支持状態で上記ケーブル支持部材の上記連結部を上記天井面に接着された上記基板の連結突起に連結させる連結工程と、
から構成されるケーブル支持具取付方法。
【請求項８】
上記基板接着工程では、上記棒状部材の先端部の凹部に上記連結突起を係合させ、
上記ケーブル支持工程では、上記棒状部材の先端部の凹部に上記ケーブル支持部材の本体下部を係合させることを特徴とする請求項７記載のケーブル支持具取付方法。
【請求項９】
上記ケーブル支持部材の本体を上下貫通する筒状本体として形成すると共に、上記連結突起と上記連結部の連結は、上記連結部内に設けられた係合爪と上記連結突起との結合により行う構成とし、
上記筒状本体下方から上記連結部内に挿入可能な筒状部材からなる連結解除ピンを設け、上記連結解除ピンを上記棒状部材の先端部にて支持した状態で、該ピンの先端部を天井面に設置されたケーブル支持部材の上記筒状本体内に挿入し、
該連結解除ピンの筒状先端部を上記連結突起と上記係合爪との間に挿入することにより、上記連結突起と上記係合爪との係合を解除し、上記連結解除ピンを上記ケーブル支持部材共々上記基板から取り外す取り外し工程を具備する請求項７又は８記載のケーブル支持具取付方法。
【請求項１０】
一面に天井面に接着し得る接着面が形成され、他面に連結突起が設けられた基板と、
上記連結突起に連結可能な連結部を有する本体を有し、該本体にケーブル支持用のフックが形成されたケーブル支持部材とから構成されるケーブル支持具であって、
上記ケーブル支持部材の本体を上下貫通する筒状本体として形成すると共に上記連結部を上記筒状本体先端に形成し、
上記連結突起と上記連結部の連結は、上記連結部内に設けられた係合爪と上記連結突起との結合により行う構成とし、
上記筒状本体下方から上記連結部内に挿入可能な筒状部材からなる連結解除ピンを設け、上記連結突起と上記連結部の連結状態において上記本体内に挿入された連結解除ピンの筒状先端部を上記連結突起と上記係合爪との間に挿入することにより、上記連結突起と上記係合爪との係合を解除し得るものであるケーブル支持具。
【請求項１１】
上記ケーブル支持部材は、上記連結突起に連結した状態において、上記基板の連結突起の中心軸に対して回転可能である請求項１０に記載のケーブル支持具。
【発明の詳細な説明】
【技術分野】
【０００１】
本発明は、建築物の天井スラブ等に接着し、天井スラブ等に沿って各種ケーブルを配置するためのケーブル支持具取付装置及びケーブル支持具取付方法及び上記装置、方法に使用するに適したケーブル支持具に関するものである。
【背景技術】
【０００２】
従来、建造物の天井スラブに沿って各種ケーブルを吊下げ状態で配設することが行われている。この場合、ケーブルを支持するためのフックは、例えば、ケーブル支持用のフックが形成された支持具を天井面に接着して使用するもの（特許文献１）、天井スラブ内に予め支持基台を埋め込んでおき、支持基台にケーブル支持フックを係合させる構造のもの（特許文献２）等が提案されている。
【０００３】
このような支持具にてケーブルを天井面に沿って配設するには、作業者は脚立に上り、脚立の上で上記フックの天井面への取付作業、ケーブルの上記フックへの係合作業を行う必要があった。
【０００４】
一方、脚立を使用せずに、長い棒の先端にケーブルを支持し、天井面に既に取り付けられたケーブル支持フックにケーブルを装着することができるものも提案されている（特許文献３）。
【先行技術文献】
【特許文献】
【０００５】
【特許文献１】特開平１１−２２８６２
【特許文献２】特開２００６−２３４０６１
【特許文献３】特開２００６−６７７１６
【発明の概要】
【発明が解決しようとする課題】
【０００６】
ところで、上記特許文献１，２のケーブル支持フックは、支持フックの天井面への取り付け作業、及びケーブルのフックへの係合作業を脚立の上で行う必要があるため、作業足場が不安定であるとの課題があった。
【０００７】
上記特許文献３の装置では棒状の部材にてケーブルの取り付けはできるが、ケーブル支持部材の取り付け作業は依然として脚立上での作業が必要であった。
【０００８】
また、上記各種ケーブル支持フックは、一旦支持フックにケーブルを支持した状態において、ケーブルの取り換えが必要になった場合は、再度脚立に上ってケーブルの取り外し作業が必要になり、ケーブルの取り外しをも容易に行い得るケーブル支持具が望まれている。
【０００９】
本発明は上記課題に鑑みてなされたものであり、脚立を使用せずに、ケーブル支持具及びケーブルの装着ができるケーブル支持具取付装置、及びケーブル支持具取付方法、及びケーブルの取り換え作業も容易に行い得るケーブル支持具を提供することを目的とする。
【課題を解決するための手段】
【００１０】
上記の目的を達成するため本発明は、
第１に、一面に天井面に接着し得る接着面が形成され、他面に連結突起が設けられた基板と、上記連結突起に連結可能な連結部を有する本体を有し、該本体にケーブル支持用のフックが形成されたケーブル支持部材と、上記基板及びケーブル支持部材を先端部にて各別に支持し得る棒状部材とより構成され、上記棒状部材の先端部には、上記基板を支持する際は上記連結突起が係合し、上記ケーブル支持部材を支持する際は該ケーブル支持部材の本体下部が係合し得る凹部が形成されており、かつ上記凹部の周囲に上記基板他面及び上記フックを水平に支持する水平支持部が形成されているものであるケーブル支持具取付装置により構成される。
【００１１】
上記棒状部材は、その先端部（７）とそれ以外の棒状部（２０）に分割して構成しても良い。上記棒状部材の先端部に上記基板を支持した状態で、該基板を天井面に接着し、その後、上記ケーブル支持部材のフックにケーブルを係合し、上記棒状部材の先端部に上記ケーブル支持部材を支持した状態で、棒状部材を持ち上げて上記基板の連結突起に上記ケーブル支持部材の連結部を連結させることで、脚立を使用せずに、天井面に沿ってケーブルを配設することができる。
【００１２】
第２に、上記基板他面には基板支持突起が形成されており、上記ケーブル支持部材の上記フックの下面には該フックに沿う方向にフック支持突起が形成されており、上記棒状部材の上記水平支持部には、上記基板支持突起に係合し得る基板係合溝と、上記フック支持突起に係合し得るフック係合溝が各々形成されているものであることを特徴とする上記第１記載のケーブル支持具取付装置により構成される。
【００１３】
従って、棒状部材にて上記基板を支持する際は、上記基板の基板支持突起を棒状部材の基板係合溝に係合し、上記棒状部材にて上記ケーブル支持部材を支持する際は、上記ケーブル支持部材のフック支持突起を上記棒状部材のフック係合溝に係合することにより、棒状部材にて上記基板又はケーブル支持部材を安定して支持し得る。
【００１４】
第３に、上記ケーブル支持部材の本体を上下貫通する筒状本体として形成すると共に、上記棒状部材の上記凹部内にガイドピンを出没可能に設け、上記棒状部材の先端部にて上記ケーブル支持部材を支持する際は、上記ガイドピンを上記凹部から突出させた状態において、上記ガイドピンが上記ケーブル支持部材の上記筒状本体内に挿入されるものである上記第１又は２記載のケーブル支持具取付装置により構成される。
【００１５】
従って、棒状部材にて上記ケーブル支持部材を支持する際は、ガイドピンがケーブル支持部材の筒状本体内に挿入されるので、ケーブル支持部材のフックにケーブルを係合した状態においても棒状部材にケーブル支持部材を安定して支持し得る。
【００１６】
第４に、上記ケーブル支持部材の本体を上下貫通する筒状本体として形成すると共に上記連結部を上記筒状本体先端に形成し、上記連結突起と上記連結部の連結は、上記連結部内に設けられた係合爪と上記連結突起との連結により行う構成とし、上記筒状本体下方から上記連結部内に挿入可能な筒状部材からなる連結解除ピンを設け、上記本体内に挿入された連結解除ピンの筒状先端部を連結状態の上記連結突起と上記係合爪との間に挿入することにより、上記連結突起と上記係合爪との係合を解除し得るように構成したものである上記第１又は２記載のケーブル支持具取付装置により構成される。
【００１７】
従って、天井面に設置されたケーブル支持部材の筒状本体下方から連結解除ピンを挿入することで、上記連結突起と上記係合爪との係合を解除し、上記基板から上記ケーブル支持部材を取り外すことができる。よって、天井面に配設したケーブルの取り換え等を容易に行うことができる。
【００１８】
第５に、上記連結解除ピンは、その下端部を上記棒状部材の先端部にて支持可能に構成したものである上記第４記載のケーブル支持具取付装置により構成される。
【００１９】
このように構成すると、上記連結解除ピンを棒状部材の先端部に支持した状態で、該棒状部材を持ち上げて、上記解除ピンの先端部を天井面のケーブル支持部材の下方からその筒状本体内に挿入することで、ケーブル支持部材を上記基板から離脱することができ、脚立を使用せずに、ケーブル支持部材の基板からの取り外し作業を行うことができる。
【００２０】
第６に、上記ケーブル支持部材は、上記連結突起に連結した状態において、上記連結突起の中心軸の周りに回転可能である上記第１〜５の何れかに記載のケーブル支持具取付装置により構成される。
【００２１】
このように構成すると、ケーブル支持部材を基板に連結した状態において、上記基板に対してケーブル支持部材を回転することができるので、上記基板に対してケーブル支持部材を回転させることで、ケーブルの配線角度、配線方向等の調整を行うことができる。
【００２２】
第７に、一面に接着面が形成され他面に連結突起が設けられた基板を、棒状部材の先端部にて水平に支持し、かかる状態で上記基板の一面を天井面に接着させる基板接着工程と、上記連結突起に連結可能な連結部を有する本体と、該本体にケーブル支持用のフックが形成されたケーブル支持部材の上記フックに、ケーブルを支持するケーブル支持工程と、上記ケーブル支持部材を棒状部材の先端部にて水平に支持し、かかる支持状態で上記ケーブル支持部材の上記連結部を上記天井面に接着された上記基板の連結突起に連結させる連結工程と、から構成されるケーブル支持具取付方法により構成される。
【００２３】
このようなケーブル支持具取付方法によると、脚立を使用せずに、ケーブル支持具を天井面に設置し得ると共に、脚立を使用することなくケーブルを天井面のケーブル支持具に支持することができる。
【００２４】
第８に、上記基板接着工程では、上記棒状部材の先端部の凹部に上記連結突起を係合させ、上記ケーブル支持工程では、上記棒状部材の先端部の凹部に上記ケーブル支持部材の本体下部を係合させることを特徴とする上記第７記載のケーブル支持具取付方法により構成される。
【００２５】
このように構成すると、棒状部材にて上記基板及びケーブル支持部材を安定して支持することができる。
【００２６】
第９に、上記ケーブル支持部材の本体を上下貫通する筒状本体として形成すると共に、上記連結突起と上記連結部の連結は、上記連結部内に設けられた係合爪と上記連結突起との結合により行う構成とし、上記筒状本体下方から上記連結部内に挿入可能な筒状部材からなる連結解除ピンを設け、上記連結解除ピンを上記棒状部材の先端部にて支持した状態で、該ピンの先端部を天井面に設置されたケーブル支持部材の上記筒状本体内に挿入し、該連結解除ピンの筒状先端部を上記連結突起と上記係合爪との間に挿入することにより、上記連結突起と上記係合爪との係合を解除し、上記連結解除ピンを上記ケーブル支持部材共々上記基板から取り外す取り外し工程を具備する上記第７又は８記載のケーブル支持具取付方法により構成される。
【００２７】
このように構成すると、天井面に設置されたケーブル支持部材の筒状本体下方から連結解除ピンを挿入することで、上記連結突起と上記係合爪との係合を解除し、上記基板から上記ケーブル支持部材を取り外すことができる。よって、天井面に配設したケーブルの取り換え等を脚立を使用せずに容易に行うことができる。
【００２８】
第１０に、一面に天井面に接着し得る接着面が形成され、他面に連結突起が設けられた基板と、上記連結突起に連結可能な連結部を有する本体を有し、該本体にケーブル支持用のフックが形成されたケーブル支持部材とから構成されるケーブル支持具であって、上記ケーブル支持部材の本体を上下貫通する筒状本体として形成すると共に上記連結部を上記筒状本体先端に形成し、上記連結突起と上記連結部の連結は、上記連結部内に設けられた係合爪と上記連結突起との結合により行う構成とし、上記筒状本体下方から上記連結部内に挿入可能な筒状部材からなる連結解除ピンを設け、上記連結突起と上記連結部の連結状態において上記本体内に挿入された連結解除ピンの筒状先端部を上記連結突起と上記係合爪との間に挿入することにより、上記連結突起と上記係合爪との係合を解除し得るものであるケーブル支持具により構成される。
【００２９】
第１１に、上記ケーブル支持部材は、上記連結突起に連結した状態において、上記基板の連結突起の中心軸に対して回転可能である上記第１０に記載のケーブル支持具により構成される。
【発明の効果】
【００３０】
本発明は上述のように構成したので、脚立等を使用することなく、棒状部材を使用することにより、基板の天井面への接着、基板とケーブル支持部材との連結、ケーブルの天井面への配設等の作業を容易に行うことができるものである。
【００３１】
また、一旦ケーブル支持具及びケーブルを天井面に設置したとしても、連結解除ピンを用いて上記ケーブル支持部材を上記基板から取り外すことができ、ケーブルの取り換え等を容易に行うことができる。
【００３２】
また、上記ケーブル支持部材と上記基板との離脱作業をも棒状部材を用いて行うことができ、脚立等を使用することはなくケーブルの交換作業等をも行うことができる。
【図面の簡単な説明】
【００３３】
【図１】（ａ）は本発明に係るケーブル支持具取付装置における基板を天井面に接着する状態を示す側面図、（ｂ）は同上装置における基板の接着面を示す斜視図、（ｃ）は同上装置における基板を天井面に接着した状態の側面図である。
【図２】同上装置における基板と棒状部材の斜視図である。
【図３】同上装置における基板にケーブル支持部材を接続する状態を示す側面図である。
【図４】同上装置におけるケーブル支持具と棒状部材の斜視図である。
【図５】同上装置におけるケーブル支持具の側面図である。
【図６】同上装置における連結解除ピンと棒状部材の斜視図である。
【図７】（ａ）は同上装置におけるケーブル支持部材の平面図、（ｂ）は同上ケーブル支持部材の斜視図である。
【図８】（ａ）は同上装置におけるケーブル支持部材を基板に装着する状態を示す同上装置の側面図、（ｂ）は同上ケーブル支持部材を基板に連結した状態を示す同上装置の側面図である。
【図９】（ａ）は同上装置における棒状部材の平面図、（ｂ）は同上棒状部材の斜視図、（ｃ）は同上棒状部材の側面図である。
【図１０】（ａ）（ｂ）は同上装置における棒状部材の断面図である。
【図１１】図１１は同上装置の連結解除ピンの斜視図である。
【図１２】同上装置における連結解除ピンの使用状態を示す同上装置の一部断面側面図である。
【図１３】（ａ）（ｂ）は同上装置における連結解除ピンの機能を示す同上装置の一部断面側面図である。
【図１４】（ａ）は同上装置を使用して基板を装着する状態を示す図、（ｂ）は同上装置を使用してケーブルを配設する状態を示す図、（ｃ）は同上装置を使用して基板からケーブル支持部材を離脱する状態を示す図である。
【図１５】同上装置において棒状部材にて基板を支持した状態を示す斜視図である。
【図１６】同上装置において棒状部材にてケーブル支持部材を支持した状態を示す斜視図である。
【図１７】同上装置において棒状部材にて基板を支持した状態を示す一部断面側面図である。
【発明を実施するための形態】
【００３４】
以下、本発明に係る粉粒体供給装置を詳細に説明する。
【００３５】
図１、図２に示すように、一面１ａに天井面（例えば天井スラブ）２に接着し得る接着面１ａ’が形成され、他面１ｂの中央部に下向きに連結突起３が設けられた正方形状薄板からなる基板１と、図３、図４に示すように、上記連結突起３に連結可能な連結部４を有すると共に、上下貫通する筒状の本体（筒状本体）５ａを有し、該本体５ａの左右水平方向にケーブル支持用のフック６，６が形成されたケーブル支持部材５と、上記基板１及びケーブル支持部材５を先端部７にて各別に支持し得る棒状部材８とによりケーブル支持具取付装置が形成されている。
【００３６】
尚、以下、上記基板１と上記ケーブル支持部材５により構成されるもの、又は、上記基板１と上記ケーブル支持部材５と上記連結解除ピン１７（図６）により構成されるものをケーブル支持具、このケーブル支持具に該ケーブル支持具を天井面２に取り付けるための棒状部材８を組み合わせたものをケーブル支持具取付装置という。
【００３７】
上記基板１の上記接着面１ａ’には格子状の溝１ｃが形成されており、天井面２への接着強度を高めるように構成されている。上記連結突起３は、上記他面１ｂから突出する小径部３ａと該小径部３ａの下方先端に形成された大径部３ｂから形成されており、該大径部３ｂの下端は下方に向けて径が縮小するテーパ面３ｂ’が形成されている。
【００３８】
上記連結突起３は上記基板１他面１ｂの中央部に突出形成されており、上記連結突起３を挟む上記基板１の対角線上の両端部には基板支持突起１１ａ，１１ｂが下方向けて突出形成されている。この基板支持突起１１ａ，１１ｂは、棒状部材８で基板１を支持する際、上記棒状突起８の基板係合溝１３ａ，１３ｂに係合させることで、上記棒状部材８上での支持状態を安定化するものである（図１５、図１７参照）。
【００３９】
上記基板支持突起１１ａ，１１ｂは、各々上記対角線に沿う長方形状突起として形成されており、それらの側面には係合孔１１ａ’，１１ｂ’が各々貫通形成されている。この係合孔１１ａ’，１１ｂ’には、図１（ｃ）に示すように、結束線（バインド線）Ｗを通してケーブルＫを吊下げ支持し得るものであり、ケーブル支持孔としての機能をも有するものである。
【００４０】
上記ケーブル支持部材５の上記筒状本体５ａは（図４参照）、上下方向に貫通孔５ａ’を有する円筒状をなし、円筒状の下半部の左右の外周面各々からケーブル支持用の一対のフック６，６が左右方向（半径方向）に水平に延出形成されており、これらフック６，６は各端部に垂直方向の起立係止片６ａ，６ａを有しており、全体としてＬ字形状をなしている。このケーブル支持部材５は、上記フック６，６に直交する方向に各々ケーブルＫ，Ｋを支持し得るように構成されている（図３，４参照）。尚、上記ケーブルＫを上記フック６に支持する際は、結束線Ｗにて上記ケーブルＫを上記フック６に結束する。
【００４１】
また、上記ケーブル支持部材５の本体５ａを上下貫通（貫通孔５ａ’）する筒状に形成すると共に、棒状部材８の上端中央の凹部９に内にガイドピン１５を出没可能に設け、上記棒状部材８の先端部７にて上記ケーブル支持部材５を支持する際は、上記ガイドピン１５を上記凹部９から突出させた状態において（図４の状態）、上記ガイドピン１５が上記ケーブル支持部材５下部から筒状本体５ａ内に挿入されるように構成する（図８（ａ）の状態）。
【００４２】
上記ケーブル支持部材５の上記フック６，６の各々下面（裏面）には、各々のフック６，６に沿う左右方向にフック支持突起１２ａ，１２ｂが形成されている。このフック支持突起１２ａ，１２ｂは、図３，４に示すように、上記フック６，６の下面側長手方向中央部において、上記本体５ａの下端部から上記係止片６ａ，６ａの方向に上り傾斜の三角形状の細い板状に形成されている。これらのフック支持突起１２ａ，１２ｂは、上記棒状部材８のフック係合溝１４ａ，１４ｂに各々係合することで、上記棒状突起８上における上記ケーブル支持部材５の支持状態を安定化するものである（図１６参照）。尚、上記フック支持突起１２ａ，１２ｂの端部は上記フック６，６の上記係止片６ａ，６ａの先端部まで達しており、上記フック６，６の補強用リブとしての機能をも有するものである。
【００４３】
上記ケーブル支持部材５の上記連結部４は、上記筒状本体５ａの先端の貫通孔５ａ’内に、該貫通孔５ａ’内周に沿う１２０度毎の３箇所に係合爪１６，１６，１６が内側方向に突出形成されており（図７（ａ）参照）、さらに、上記各係合爪１６の隣接部の筒状本体５ａには、各々筒状本体５ａ上端から下方に向けて上端開放縦方向スリット１９が１２０度毎に３箇所に設けられており（図４参照）、上記各係合爪１６は上記スリット１９により独立して半径方向に弾性変形し得るように構成されている（図１３（ｂ）参照）。
【００４４】
また、上記３箇所の係合爪１６，１６，１６により形成される内径は上記連結突起３の大径部３ｂの直径より若干小に形成されており、上記係合爪１６が上記連結突起３の小径部３ａに確実に係合し得るように構成されている。そして、上記連結突起３は円柱状であり、上記ケーブル支持部材５の上記連結部４内の係合爪１６により構成される内周も円筒状なので（図４参照）、上記ケーブル支持部材５は、連結部４を以って上記連結突起３に連結した状態において、連結突起３の中心軸Ｐの周りにＡ，Ｂ方向に回転可能に構成されている（図５参照）。従って、ケーブル支持部材５を上記基板１に連結した状態において、ケーブル支持部材５を上記連結突起３の周りに回転し得るため、ケーブル支持部材５を回転させることで、ケーブルＫ，Ｋの配線方向を調整することができる。
【００４５】
上記棒状部材８は、上記基板１又はケーブル支持部材５を水平に支持し得る先端部７と、該先端部７に連結された長い棒状部２０（図１４参照）により形成されており、上記先端部７と上記棒状部２０は着脱可能であり、棒状部２０の先端に上記先端部７を連結して使用するものである。上記棒状部２０は、作業者がその先端部７に上記基板１等を支持した状態で、該基板１を天井面２に装着し得るだけの長さを有している（図１４）。
【００４６】
上記先端部７は上下方向に貫通する筒状本体２１により構成されており（図１０（ａ），（ｂ））、筒状本体２１の上端周縁には、上記基板１の他面１ｂに接触して該基板１を水平に支持すると共に、上記ケーブル支持部材５の上記フック６，６の下面に接触して該ケーブル支持部材５を水平に支持する水平面からなる環状の水平支持部１０が形成されており、該水平支持部１０の内側中央には凹部９が形成されている。
【００４７】
上記水平支持部１０には、上記筒状本体２１の直径方向に上記基板１の上記一対の基板支持突起１１ａ，１１ｂが各々係合する基板係合溝１３ａ，１３ｂが、上記筒状本体の中心軸の両側に各々形成されている。さらに、上記基板係合溝１３ａ，１３ｂとは９０度回転した直交方向において、同じく上記筒状本体２１の直径方向に上記ケーブル支持部材５の上記フック支持突起１２ａ，１２ｂが各々係合するフック係合溝１４ａ，１４ｂが、上記筒状本体２１の中心軸の両側に各々形成されている。尚、上記フック係合溝１４ａ，１４ｂの幅と上記基板係合溝１３ａ，１３ａの幅は、各々係合される部材（基板支持突起１１ａ，１１ｂ、フック支持突起１２ａ，１２ｂ）の幅に合致する幅に形成されており、両者の幅は異なっている。このように、係合される部材の幅に対応する幅の溝とすることにより、基板１又はケーブル支持部材５を各々安定して支持することができる。
【００４８】
上記筒状本体２１の上記凹部９内の下方には小円筒２２が嵌合固定されており、該小円孔２２により小径貫通孔２２ａが形成され、該小径貫通孔２２ａに上記筒状本体２１の上端に出没可能にガイドピン１５が設けられている（図１０（ａ））。上記ガイドピン１５はその側面から直交する方向（上記棒状部材８の径方向）に操作ピン２３が突出形成されており、該操作ピン２３は上記筒状本体２１の外周に設けられた縦方向長孔２４を介して該本体２１外部に突出している（図９（ｃ））。上記操作ピン２３の先端には操作つまみ２３ａが固定されている。
【００４９】
従って、上記ガイドピン１５は上記縦方向長孔２４の範囲内において、その上端を上記水平支持部１０よりも上方に突出させた突出位置（図１０（ｂ）の位置）と、上記凹部９の下方に収納した収納位置（図１０（ａ）の位置）の二位置を往復動可能に構成されている。さらに、上記ガイドピン１５の下半部の外周面には、相対向する縦方向長孔１５ａ，１５ａが設けられており、該長孔１５ａ，１５ａに対して直交する方向に貫通し、かつ上記筒状本体２１をも径方向に貫通して本体２１に径方向の貫通孔２５ａを形成するロックピン支持筒２５が上記筒状本体２１に固定されている。従って、上記ガイドピン１５は、上記長孔２４の範囲内、かつ自身の長孔１５ａ，１５ａの範囲内において、上記二位置を往復移動可能に構成されている。
【００５０】
上記ロックピン支持筒２５には、上記筒状本体２１の一方外周側より他方外周側に貫通するように左右方向に摺動自在のロックピン２６が挿通している（図１０（ａ））。このロックピン２６は、その他方外周側の端部は直角に上方に折り曲げられた後、外方向に略直交する方向に再び折り曲げられてケーブル係合部２６ａを形成した後、筒状本体２１側にＵターンして、該本体２１の対向する外周に設けられた横方向の挿通孔２７にその端部２６ｂが挿入されている。そして、上記ガイドピン１５をその操作ピン２３を以って上方の突出位置に位置させ、その状態でロックピン２６を矢印Ｄ方向（外方向）に移動させると、上記ロックピン２６の上記端部２６ｂが上記ガイドピン１５の上記長孔１５ａ内に挿通され、これにより上記ガイドピン１５の突出位置の状態（図１０（ｂ）の状態）を維持し得るように構成している。
【００５１】
上記ロックピン２６を矢印Ｃ方向（内方向）に押すと上記端部２６ｂが上記ガイドピン１５の上記長孔１５ａから離間するため、上記ガイドピン１５は自重により下方に下がり、上記長孔１５ａの上端部がロックピン支持筒２５に当接した上記収納位置（図１０（ａ））まで降下する。尚、２６ｃはロックピン２６の抜け止めを兼ねた操作つまみである。
【００５２】
上記筒状本体２１の下端部は、連結用の凹部２１ａが形成されており、当該凹部２１ａには長い棒状部２０の先端部が嵌合固定できるように構成されている。尚、上記筒状本体２１（先端部７）と上記棒状部２０は着脱可能であり、作業時に棒状部２０の先端に上記先端部７を連結して使用すれば良い。
【００５３】
上記連結解除ピン１７は、図６に示すように、大径の筒状本体部１７ａと小径の筒状先端部１８から構成されており、該先端部１８には１２０度間隔で３本の縦方向スリット１８ａが形成され、これにより横断面円弧状の３つの片部１８ｂ，１８ｂ，１８ｂが形成されている。従って、上記片部１８ｂは各々外方向に弾性変形して先端部１８の直径を拡大し得るように構成されている。また、上記筒状本体部１７ａの上段に中径部１７ｃが形成されており、該中径部１７ｃ上面に取り外した上記ケーブル支持部材５の本体下部５’が載置される段部１７’が形成されている（図１３参照）。
【００５４】
上記筒状先端部１８の直径は、上記ケーブル支持部材５の本体５ａの内径より小に形成されており、上記筒状先端部１８を上記ケーブル支持部材５の本体５ａ下端より該本体５ａの貫通孔５ａ’内に挿入し得るように構成されている（図１２参照）。
【００５５】
上記連結解除ピン１７の下端部１７ｂも筒状に形成されており、該下端部１７ｂを上記棒状部材８の上記凹部９に嵌合すると、突出位置にある上記ガイドピン１５が上記下端部１７ｂの内部１７ｂ’に入り込み、これにより上記棒状部材８の先端部７にて上記連結解除ピン１７を安定して支持し得るように構成されている（図１２参照）。このように、上記連結解除ピン１７は、その下端部１７ａを上記棒状部材８の先端部７にて支持可能に構成されている。
【００５６】
上記連結解除ピン１７の筒状先端部１８は、上記基板１の連結突起３に連結部４を以って係合装着されたケーブル支持部材５の筒状本体５ａの本体下部５’から、上記ケーブル支持部材５の貫通孔５ａ’内に挿入され、その筒状先端部１８が上記連結突起３と上記連結部４の係合爪１６の間に侵入し得るように構成されている（図１２、図１３参照）。上記筒状先端部１８が上記連結部４の大径部３ｂと上記係合爪１６との間に侵入すると、図１３（ａ）に示すように、上記係合爪１６が外方向に弾性的に湾曲して係合爪１６と上記連結突起３（大径部３ｂ）との係合を解除することができる。よって、その後は連結解除ピン１７（棒状部材８）を下方に移動させることで、上記ケーブル支持部材５を上記係合解除ピン１７共々、上記基板１から離脱することができるように構成している（図１３（ａ）（ｂ）参照）。
【００５７】
即ち、上記ケーブル支持部材５の本体５ａを上下貫通する筒状に形成すると共に上記連結部４を上記筒状本体５ａの先端に形成し、上記連結突起３と上記連結部４の連結は、上記連結部４内に設けられた係合爪１６と上記連結突起３との結合により行う構成とし、上記筒状本体５ａ下方から上記連結部４内に挿入可能な筒状部材からなる連結解除ピン１７を設け、上記本体５ａ内に挿入された連結解除ピン１７の筒状先端部１８を上記連結突起３と上記係合爪１６との間に挿入することにより、上記連結突起３と上記係合爪１６との係合を解除し得るように構成する。
【００５８】
本発明に係るケーブル支持具取付装置は上述のように構成されているので、次の同装置を使用してのケーブル支持具取付方法を説明する。ここで、予め上記先端部７の凹部２１ａ内に棒状部２０先端を嵌合して長い棒状部材８を形成しておく。
【００５９】
基板１の接着面１ａ’に接着剤を塗布し、該基板１の他面１ｂを棒状部材８の先端部７に宛がい、上記連結突起３を先端部７の凹部９、ケーブル支持突起１１ａ，１１ｂを先端部７の基板係合溝１３ａ，１３ｂに各々係合することで、上記先端部７上面の水平支持部１０上に上記基板１を水平に支持する（図１４（ａ）、図１５、図１７参照）。尚、このとき、上記先端部７のガイドピン１５は上記凹部９内に収納した状態となっている（図１０（ａ）の位置）。
【００６０】
その後、作業者は、棒状部材８を持って上記基板１の接着面１ａ’を天井面２に押し当て、上記基板１を天井面２に接着する。上記基板１の一面１ａを天井面２に押し当てると、該基板１は天井面２に接着されるので、その後は、上記棒状部材８を上記基板１から離間すれば良い。このように、脚立を用いることなく、基板１を天井面２に容易に接着することができる。
【００６１】
次に、ケーブル支持部材５の一対のフック６，６上面に各々ケーブルＫ，Ｋを載置し、結束線Ｗを上記フック６，６とケーブルＫ，Ｋに巻きつけて、上記ケーブルＫ，Ｋを上記フック６，６に固定する。一方、上記先端部７の操作つまみ２３ａを上昇させてガイドピン１５を突出位置に突出させ（図１０（ｂ）の位置）、その状態でロックピン２６を矢印Ｄ方向に摺動させてその端部２６ｂを上記ガイドピン１５の長孔１５ａ内に挿入係合し、これにより上記ガイドピン１５を上記突出位置に固定する。
【００６２】
その後、上記ケーブル支持部材５を上記棒状部材８の先端部７に宛がい、上記フック６，６のフック支持突起１２ａ，１２ｂを上記フック係合溝１４ａ，１４ｂに係合させ、上記ケーブル支持部材５の本体下部５’を上記先端部７の凹部９に係合させることにより、上記ケーブル支持部材５を上記先端部７の上記水平支持部１０上に水平に支持する（図８（ａ）、図１６参照）。このとき、同時に上記ガイドピン１５が上記ケーブル支持部材５の本体５ａ下部より貫通孔５ａ’内に挿入係合されるため、ケーブルＫ２本を支持したケーブル支持部材５を上記先端部７上に水平状態で安定して支持し得る。従って、上記先端部７にて上記ケーブル支持部材５を支持した状態で棒状部材８をある程度傾けても、上記ガイドピン１５が上記ケーブル支持部材５内に挿入係合しているので、ケーブル支持部材５は上記棒状部材８から脱落することはない。
【００６３】
上記基板１の接着剤が硬化して該基板１が天井面２に固定された後、作業者は、この棒状部材８を持って上記ケーブル支持部材５を持ち上げ、その連結部４を既に天井面２に接着されている基板１の連結突起３に連結させる。このとき、作業者は、上記連結部４内に上記連結突起３が挿入係合されるように、上記連結部４を天井面の上記連結突起３に宛がい、棒状部材８を垂直上方に動かして行く。すると、上記連結部４の係合爪１６が上記連結突起３の小径部３ａに係合し、上記基板１に上記ケーブル支持部材５を連結させることができる（図８（ｂ）、図１４（ｂ）参照）。その後は、棒状部材８を降ろし、先端部７をケーブル支持部材５から離間させる。
【００６４】
これにより、上記ケーブルＫ，Ｋを天井面２のフック６，６に係合した状態（図５の状態）とすることができる。このように、上記天井面２に接着された基板１にケーブルＫ，Ｋを支持したケーブル支持部材５を連結する場合も、脚立を使用する必要はない。
【００６５】
その後は、上記と同様の方法により、ケーブルＫの配設ルートに沿って上記基板１を天井面２に順次接着して行き、同様に、ケーブルＫ，Ｋを上記ケーブル支持部材５のフック６に係合した後、その連結部４を上記連結突起３に順次連結して行き、ケーブルＫを天井面２に沿って配設して行けば良い。かかる作業により、脚立等を使用することなく上記ケーブルＫ，Ｋを天井面２に沿って配設することができる。
【００６６】
次に、例えば、ケーブルＫの取り替えが必要な場合において、上記基板１から上記ケーブル支持部材５をケーブルＫと共に取り外す作業を説明する。
【００６７】
まず、棒状部材８の先端部７のガイドピン１５を凹部９から突出させて突出位置にてロックピン２６にてロックし、上記連結解除ピン１７をその下端部１７ａを上記先端部７の凹部９に嵌合装着する（図１２参照）。すると、上記ガイドピン１５の先端部が上記連結解除ピン１７の下端部１７ｂの内部１７ｂ’内に入り込み、上記先端部７上に上記連結解除ピン１７が安定して保持される（図１２）。従って、上記先端部７にて上記連結解除ピン１７を支持した状態で棒状部材８をある程度傾けても、上記ガイドピン１５が上記連結解除ピン１７の内部１７ｂ’内に挿入係合しているので、連結解除ピン１７は上記棒状部材８から脱落することはない。
【００６８】
その後、上記棒状部材８を天井面２に装着されたケーブル支持具のケーブル支持部材５の本体下部５’の下方に位置させ、上記連結解除ピン１７の筒状先端部１８を上記ケーブル支持部材５の本体下部５’から本体５ａ内に挿入する（図１２、図１４（ｃ）参照）。そして、作業者は、上記棒状部材８を垂直方向に上昇させると、上記連結解除ピン１７の筒状先端部１８が上記連結突起３のテーパ部３ｂ’を介して上記ケーブル支持部材５の係合爪１６と上記連結突起３の大径部３ｂとの間に挿入され、上記連結解除ピン１７の筒状先端部１８の片部１８ｂの厚みの分、上記係合爪１６が外側半径方向に弾性変形し（図１３（ａ）参照）、これにより上記係合爪１６と上記連結突起３との係合が解除される。
【００６９】
すると、上記ケーブル支持部材５は自重で下降し、その本体下部５’が上記連結解除ピン１７の段部１７’上に載置された状態となる（図１３（ｂ）の状態）。
【００７０】
その後、作業者は、上記棒状部材８を垂直方向に降下させると、上記ケーブル支持部材５を上記連結解除ピン１７共々、上記基板１から離間することができる（図１３（ｂ）参照）。このように、上記基板１からケーブル支持部材５を取り外して、ケーブルＫを天井面２から降ろす作業についても、脚立を使用することなく行うことができる。
【００７１】
上述のように、本発明に係るケーブル支持具取付方法は、一面に接着面１ａ’が形成され他面に連結突起３が設けられた基板１を、棒状部材８の先端部７にて水平に支持し、かかる状態で上記基板１の一面１ａを天井面２に接着させる基板接着工程と、上記連結突起３に連結可能な連結部４を有する本体５ａと、該本体５ａの左右方向にケーブル支持用のフック６が形成されたケーブル支持部材５の上記フック６に、ケーブルＫを支持するケーブル支持工程と、上記ケーブル支持部材５を棒状部材８の先端部７にて水平に支持し、かかる支持状態で上記ケーブル支持部材５の上記連結部４を上記天井面２に接着された上記基板１の連結突起３に連結させる連結工程と、から構成される。
【００７２】
上記基板接着工程では、上記棒状部材８の先端部７の凹部９に上記連結突起３を係合させ、上記ケーブル支持工程では、上記棒状部材８の先端部７の凹部９に上記ケーブル支持部材５の本体下部５’を係合させることで上記先端部７上に上記基板１又はケーブル支持部材５を安定して支持し得る。
【００７３】
また、上記ケーブル支持部材５の本体５ａを上下貫通する筒状本体５ａとして形成すると共に、上記連結突起３と上記連結部４の連結は、上記連結部４内に設けられた係合爪１６と上記連結突起３との結合により行う構成とし、上記筒状本体５ａ下方から上記連結部４内に挿入可能な筒状部材からなる連結解除ピン１７を設け、上記連結解除ピン１７を上記棒状部材８の先端部にて支持した状態で、該ピン１７の先端部１８を天井面２に設置されたケーブル支持具の上記筒状本体５ａ内に挿入し、該連結解除ピン１７の筒状先端部１８を上記連結突起３と上記係合爪１６との間に挿入することにより、上記連結突起３と上記係合爪１６との係合を解除し、上記連結解除ピン１７を上記ケーブル支持部材５共々上記基板１から取り外す取り外し工程を具備する。
【００７４】
その後、作業者は他のケーブルＫ，Ｋを上記ケーブル支持部材５の上記フック６，６に結束線Ｗにて締結し、上記と同様の方法で、上記基板１にケーブル支持部材５を連結することで、天井面２に他のケーブルＫを配設することができる。
【００７５】
尚、例えば、天井面２に既に設置されているケーブル支持部材５のフック６（ケーブルＫは係合されていない）にケーブルＫのみを係合させたい場合は、上記棒状部材８の先端部７の上記ケーブル係合部２６ａ上にケーブルＫを係合支持し、棒状部材８を持ち上げて、その先端部７を天井面２のケーブル支持部材５に近接させ、そのフック６にケーブルＫを係合させることもできる。このように、ケーブル支持部材５のフック６にケーブルを係合させる作業をも、棒状部材８を使用することにより、脚立を使用することなく行うことができる。
【００７６】
本発明は以上のように、脚立等を使用することなく、棒状部材８を使用することにより、基板１とケーブル支持部材５を天井面２に設置することにより、ケーブルＫを天井面２に配設することができ、ケーブル支持具の天井面２への取付け、ケーブルＫの天井面２への配設を、何れも脚立を使用することなく容易に行うことができる。
【００７７】
また、一旦ケーブル支持具及びケーブルＫを天井面２に設置したとしても、連結解除ピン１７を用いて上記ケーブル支持部材５を上記基板１から取り外すことができ、既にケーブル支持部材５に係合したケーブルＫの取り換え等を容易に行うことができる。
【００７８】
また、上記ケーブル支持部材５と上記基板１との離脱作業をも棒状部材８を用いて容易に行うことができ脚立等を使用することはない。
【００７９】
また、ケーブル支持部材５にケーブルを係合する作業をも、脚立を使用することなく、棒状部材８を用いて行うことができる。
【産業上の利用可能性】
【００８０】
本発明に係るケーブル支持具取付装置は、天井スラブ等の天井面、その他の高所の各種の面に各種ケーブルを配設する際に、広く用いることができる。
【符号の説明】
【００８１】
１              基板
１ａ            一面
１ａ’          接着面
１ｂ            他面
２              天井面
３              連結突起
４              連結部
５              ケーブル支持部材
５’            本体下部
５ａ            本体（筒状本体）
５ａ’          貫通孔
６              フック
７              先端部
８              棒状部材
９              凹部
１０            水平支持部
１１ａ，１１ｂ  基板支持突起
１２ａ，１２ｂ  フック支持突起
１３ａ，１３ｂ  基板係合溝
１４ａ，１４ｂ  フック係合溝
１５            ガイドピン
１６            係合爪
１７            連結解除ピン
１７ｂ          下端部
１８            筒状先端部
２０            棒状部
Ｋ              ケーブル
【図１】
0005514587.tif 000002
【図２】
0005514587.tif 000003
【図３】
0005514587.tif 000004
【図４】
0005514587.tif 000005
【図５】
0005514587.tif 000006
【図６】
0005514587.tif 000007
【図７】
0005514587.tif 000008
【図８】
0005514587.tif 000009
【図９】
0005514587.tif 000010
【図１０】
0005514587.tif 000011
【図１１】
0005514587.tif 000012
【図１２】
0005514587.tif 000013
【図１３】
0005514587.tif 000014
【図１４】
0005514587.tif 000015
【図１５】
0005514587.tif 000016
【図１６】
0005514587.tif 000017
【図１７】
0005514587.tif 000018